(57)【要約】      （修正有） 【課題】安定性が増大し、ジェッタビリティーが増大した、アルキルエーテルスルフェートおよびエトキシル化メルカプタンを含む特定の界面活性剤が添加されたインク組成物を提供する。【解決手段】インクの組成物は、適当な担体ビヒクルを含み、これは典型的には、水、アルコール、界面活性剤、保湿剤および任意に樹脂成分を含む。界面活性剤はＲ−Ｏ−ＱＡＭ（Ｒはアルキル、アリール、アルキル−アリール、またはアルケニル基をあらわす；Ｑはエチレンオキシド、またはプロピレンオキシドの繰り返し単位をあらわす。量体数４以上；Ａはスルフェート、スルホネートまたはホスフェート基を表す；Ｍはカリウム、ナトリウム、リチウムまたはアンモニウムなどのカチオンを表す）で表される両親媒性物質である。【選択図】なし【特許請求の範囲】
【請求項１】
液体メディア、着色剤およびインクの少なくとも０．１重量％の、式：
Ｒ−Ｏ−ＱｎＡ−Ｍ＋
（式中、
Ｒはアルキル、アリール、アルキル−アリールまたはアルケニル基を表す；
Ｑはエチレンオキシドまたはプロピレンオキシドの親水性繰り返し単位を表す（ここにおいて、ｎ＞４）；
Ａ−はスルフェート、スルホネートまたはホスフェート基を表す；
Ｍ＋はカリウム、ナトリウム、リチウムまたはアンモニウムなどのカチオンを表す）
を有する両親媒性物質を含み、着色剤が共有結合した有機基を有する修飾されたカーボンブラックであるならば、両親媒性物質は修飾されたカーボンブラックと同じ電荷を有するインク組成物。
【請求項２】
両親媒性物質が、（ａ）アルキル、アリール、アルキル−アリールまたはアルケニルエーテルホスフェートおよびナトリウム、カリウム、アンモニウムおよびリチウムを包含するその塩；ならびに（ｂ）アルキル、アリール、アルキル−アリールまたはアルケニルエーテルスルフェートおよびナトリウム、カリウム、アンモニウムおよびリチウム塩を包含するその塩の群から選択される１以上の組成物である請求項１記載のインク組成物。
【請求項３】
インク組成物が重量基準で１０％以下の両親媒性物質を含む請求項２記載のインク組成物。
【請求項４】
さらに、インクの少なくとも０．１重量％の第二の両親媒性物質を含み、第二の両親媒性物質が式：
ＸＱｎＲ’−Ｙ−Ｒ
（式中、
Ｘはヒドロキシルまたはアミノ官能基を表す；
Ｑはエチレンオキシドまたはプロピレンオキシドの親水性繰り返し単位を表す（ここにおいてｎ＞４）；
Ｒ’はＣ１〜Ｃ６アルキル官能基を表す；
Ｙは酸素、窒素または硫黄を表す；
Ｒはアルキル、アリール、アルキル−アリールまたはアルケニル基を表す）を有する請求項１記載のインク組成物。
【請求項５】
第二の両親媒性物質が、（ａ）アルキル、アリール、アルキル−アリールまたはアルケニルメルカプタンエトキシレートおよび（ｂ）アルキルフェノールエトキシレートの群から選択される１以上の組成物である請求項４記載のインク組成物。
【請求項６】
インク組成物が重量基準で１０％以下の第二の両親媒性物質を含む請求項４記載のインク組成物。
【請求項７】
液体メディア、着色剤およびインクの少なくとも０．１重量％の、式：
ＸＱｎＲ’−Ｙ−Ｒ
（式中、
Ｘはヒドロキシルまたはアミノ官能基を表す；
Ｑはエチレンオキシドまたはプロピレンオキシドの親水性繰り返し単位を表す（ここにおいて、ｎ＞４）；
Ｒ’はＣ１〜Ｃ６アルキル官能基を表す；
Ｙは酸素、窒素または硫黄を表す；
Ｒはアルキル、アリール、アルキル−アリールまたはアルケニル基を表す）
を有する両親媒性物質を含むインク組成物。
【請求項８】
両親媒性物質が、（ａ）アルキル、アリール、アルキル−アリールまたはアルケニルメルカプタンエトキシレートおよび（ｂ）アルキルフェノールエトキシレートの群から選択される１以上の組成物である請求項７記載のインク組成物。
【請求項９】
さらに、インクの少なくとも０．１重量％の第二の両親媒性物質を含み、第二の両親媒性物質が、式：
Ｒ−Ｏ−ＱｎＡ−Ｍ＋
（式中、
Ｒはアルキル、アリール、アルキル−アリールまたはアルケニル基を表す；
Ｑはエチレンオキシドまたはプロピレンオキシドの親水性繰り返し単位を表す（ここにおいて、ｎ＞４）；
Ａ−はスルフェート、スルホネートまたはホスフェート基を表す；
Ｍ＋はカリウム、ナトリウム、リチウムまたはアンモニウムなどのカチオンを表す）
を有する請求項７記載のインク組成物。
【請求項１０】
第二の両親媒性物質が、（ａ）アルキル、アリール、アルキル−アリールまたはアルケニルエーテルホスフェートおよびナトリウム、カリウム、アンモニウムおよびリチウムを包含するその塩；ならびに（ｂ）アルキル、アリール、アルキル−アリールまたはアルケニルエーテルスルフェートおよびナトリウム、カリウム、アンモニウムおよびリチウム塩を包含するその塩の群から選択される１以上の組成物である請求項９記載のインク組成物。
【発明の詳細な説明】
【技術分野】
【０００１】
本発明はインクジェットインクに関する。より詳細には、本発明は、安定性が向上し、ジェッタビィティー（ｊｅｔｔａｂｉｌｉｔｙ）が向上した、アルキルエーテルスルフェートおよびエトキシル化メルカプタンをはじめとする特定の界面活性剤が添加されたインクに関する。
【背景技術】
【０００２】
インクジェット印刷は、インクを基体に施用して画像を形成するためのよく確立された技術であり、そこからインクが施用されるプリンターの機能部品と、その上にインクが堆積する基体の間に物理的接触がない。インクは微小液滴の形態において施用され、これはプリントヘッドの小さなノズルから周知の手段により基体上に発射される。
【０００３】
インクジェットインクはインクビヒクル中に可溶性の着色剤（染料）またはインクビヒクル中に不溶性の着色剤（顔料または分散染料）である着色剤を含み得る。不溶性着色剤に関する一般的な問題は、長い間に粒子サイズが増大し、その結果、噴射特性が低下し得ることである。不溶性着色剤を噴射させる場合のさらなる問題は、長い間にジェットノズルが詰まり、その結果、液滴の誤指向（ｍｉｓｄｉｒｅｃｔｅｄ  ｄｒｏｐｌｅｔｓ）が生じたり、または液滴噴射が全くなくなることである。これは、インクにバインダーまたは他のポリマーが配合される場合に特に問題である。
【０００４】
米国特許第５，６９８，０１６号は、両親媒性イオンおよび結合した有機基を有する修飾された炭素生成物からなり、有機基と両親媒性イオンが反対の電荷を有する分散液およびインクとして有用な組成物を記載している。水分散性を提供するためには有機基を炭素に結合させる中間段階が必要である。広範囲におよぶインク組成物の安定化は開示されていない。
【０００５】
欧州特許出願番号０９７８５４６Ａ１は、カルボン酸アンモニウム塩および１以上の界面活性剤、好ましくは非イオン性エトキシル化界面活性剤、ヒドロキシル化またはアルコキシル化アセチレン性ポリエチレンオキシド界面活性剤、または陰イオン性リン酸エステルの組み合わせを含むインク組成物を記載している。カルボン酸アンモニウムが存在しないこれらの界面活性剤を用いて安定性を達成できることは開示されていない。
【０００６】
【特許文献１】米国特許第５，６９８，０１６号明細書
【特許文献２】欧州特許出願番号０９７８５４６Ａ１明細書
【発明の開示】
【発明が解決しようとする課題】
【０００７】
本発明により取り扱われる問題は、所望の性質を達成するための複数の安定化メカニズムによらないインクジェットプリンターにおいて安定性および噴射能力が向上された水性インクジェットインクを提供することである。本発明により取り扱われるもう一つの問題は、任意の安定なインクについて噴射能力が向上された水性インクジェットインクを提供することである。
【課題を解決するための手段】
【０００８】
本発明は、液体メディア、着色剤およびインクの少なくとも０．１重量％の、式：Ｒ−Ｏ−ＱｎＡ−Ｍ＋（式中、Ｒはアルキル、アリール、アルキル−アリールまたはアルケニル基を表す；
Ｑはエチレンオキシドまたはプロピレンオキシドの親水性繰り返し単位を表す（ここにおいて、ｎ＞４）；
Ａ−はスルフェート、スルホネートまたはホスフェート基を表す；
Ｍ＋はカリウム、ナトリウム、リチウムまたはアンモニウムなどのカチオンを表す）を有する両親媒性物質を含み、着色剤が共有結合した有機基を有する修飾されたカーボンブラックであるならば、両親媒性物質が修飾されたカーボンブラックと同じ電荷を有するインク組成物を提供する
【０００９】
本発明はさらに、液体メディア、着色剤およびインクの少なくとも０．１重量％の式：ＸＱｎＲ’−Ｙ−Ｒ
（式中、Ｘはヒドロキシルまたはアミノ官能基を表す；
Ｑはエチレンオキシドまたはプロピレンオキシドの親水性繰り返し単位を表す（ここにおいてｎ＞４）；
Ｒ’はＣ１〜Ｃ６アルキル官能基を表す；
Ｙは酸素、窒素または硫黄を表す；
Ｒはアルキル、アリール、アルキル−アリールまたはアルケニル基を表す）の両親媒性物質を有するインク組成物を提供する。
【００１０】
驚くべきことに、特定の両親媒性物質の添加により、インクの安定性が向上される。ここにおいて、特定の両親媒性物質は、式：
Ｒ−Ｏ−ＱｎＡ−Ｍ＋（式中、Ｒはアルキル、アリール、アルキル−アリールまたはアルケニル基を表す；
Ｑはエチレンオキシドまたはプロピレンオキシドの親水性繰り返し単位を表す（ここにおいて、ｎ＞４）；
Ａ−はスルフェート、スルホネートまたはホスフェート基を表す；
Ｍ＋はカリウム、ナトリウム、リチウムまたはアンモニウムなどのカチオンを表す）を有する。
【００１１】
式：
ＸＱｎＲ’−Ｙ−Ｒ
（式中、Ｘはヒドロキシルまたはアミノ官能基を表す；
Ｑはエチレンオキシドまたはプロピレンオキシドの親水性繰り返し単位を表し（ここにおいてｎ＞４）；Ｒ’はＣ１〜Ｃ６アルキル官能基を表す；
Ｙは酸素、窒素または硫黄を表す；
Ｒはアルキル、アリール、アルキル−アリールまたはアルケニル基を表す）を有する第二の両親媒性物質の添加により、インクのジェッタビリティーが向上される。
【発明を実施するための最良の形態】
【００１２】
式Ｒ−Ｏ−ＱｎＡ−Ｍ＋の有用な両親媒性物質としては、制限なく、脂肪アルコールエーテルスルフェートのナトリウム塩およびアルキルフェニルエーテルスルフェートのナトリウム塩、例えば、ラウレス硫酸ナトリウムおよびＣｏｇｎｉｓにより提供されるＤｉｓｐｏｎｉｌ  ＦＥＳおよびＤｉｓｐｏｎｉｌ  ＡＥＳ界面活性剤が挙げられる。さらなる式Ｒ−Ｏ−ＱｎＡ−Ｍ＋の両親媒性物質としては、制限なく、アルキル、アリールまたはアルケニルエーテルホスフェート；アルキル、アリールまたはアルケニルエーテルスルフェート；およびナトリウム、カリウム、アンモニウムおよびリチウムを包含する前記物質の塩；およびその組み合わせが挙げられる。
【００１３】
式ＸＱｎＲ’−Ｙ−Ｒの有用な両親媒性物質としては、制限なく、アルキル、アリールまたはアルケニルメルカプタンエトキシレート、例えば、Ｒｈｏｄｉａ（フランス）によるＡｌｃｏｄｅｔ  ＨＳＣ、Ａｌｃｏｄｅｔ  ＭＣ、Ａｌｃｏｄｅｔ  ＳＫ、Ａｌｃｏｄｅｔ  ２６０およびＡｌｃｏｄｅｔ  ２１８ブランド界面活性剤、またはアルキルフェノールエトキシレート、例えば、Ｒｈｏｄｉａ（フランス）によるＲｈｏｄａｆａｃ  ＲＭ−５１０およびＲｈｏｄａｆａｃ  ＲＭ−７１０ブランド界面活性剤が挙げられる。
【００１４】
インクジェットインク組成物は、液体メディア、着色剤およびさらなる安定化成分を含む。液体メディアは典型的には主に水、好ましくは脱イオン水である。インクジェットインク組成物は着色剤を含み、これは顔料または染料であり得る。顔料は有機顔料であってもよいし、または無機顔料であってもよい。「有機顔料」とは、主にカーボンブラックをはじめとする有機化合物または有機化合物の混合物である顔料を意味する。
【００１５】
好適な有機顔料としては、例えば、表面修飾および非修飾、アントラキノン、フタロシアニンブルー、フタロシアニングリーン、ジアゾ、モノアゾ、ヘテロサイクリックイエロー、ピラントロン、キナクリドン顔料、ジオキサジン顔料、インディゴ、チオインディゴ顔料、ペリノン顔料、ペリレン顔料、イソインドレン、少なくとも１つの空隙を有するポリマー粒子などが挙げられる。カーボンブラックは、炭化水素の熱分解により気相において形成される小さな粒子サイズの炭素粒子の一般名であり、例えば、ファーネスブラック、ランプブラック、チャンネルブラック、アセチレンブラックとして当該分野において公知の物質を包含する。カーボンブラックはさらに、処理、修飾、および酸化されたカーボンブラックを包含する。
【００１６】
好適な無機顔料としては、二酸化チタン、酸化鉄および他の金属粉末が挙げられる。一般に、使用される顔料の量は、インクの総重量に基づいて、２０重量％未満であり、好ましくは３〜８重量％、さらに好ましくは２〜６重量％である。本発明のインク組成物は好ましくはインク組成物の総重量基準で０．１〜２５重量％、さらに好ましくは１〜２０重量％の量でエマルジョンポリマーを含む。インク組成物はさらに水混和性または水溶性物質、たとえばポリマー、保湿剤、分散剤、浸透剤、キレート剤、補助溶剤、消泡剤、緩衝剤、殺生物剤、殺菌剤、粘度改質剤、殺バクテリア剤、界面活性剤、抗カール剤（ａｎｔｉ−ｃｕｒｌｉｎｇ  ａｇｅｎｔ）、抗ブリード剤および表面張力改質剤を含んでもよく、これらは全て当該分野において公知である。有用な保湿剤としては、エチレングリコール、１，３−プロパンジオール、１，４−ブタンジオール、１，４−シクロヘキサンジメタノール、１，５−ペンタンジオール、１，６−ヘキサンジオール、１，８−オクタンジオール、１，２−プロパンジオール、１，２−ブタンジオール、１，３−ブタンジオール、２，３−ブタンジオール、ジエチレングリコール、トリエチレングリコール、テトラエチレングリコール、平均分子量２００、３００、４００、６００、９００、１０００、１５００および２０００のポリエチレングリコール、ジプロピレングリコール、平均分子量４２５、７２５、１０００および２０００のポリプロピレングリコール、２−ピロリドン、１−メチル−２−ピロリドン、１−メチル−２−ピペリドン、Ｎ−エチルアセトアミド、Ｎ−メチルプロピオンアミド、Ｎ−アセチルエタノールアミン、Ｎ−メチルアセトアミド、ホルムアミド、３−アミノ−１，２−プロパンジオール、２，２−チオジエタノール、３，３−チオジプロパノール、テトラメチレンスルホン、ブタジエンスルホン、エチレンカーボネート、ブチロールアセトン、テトラヒドロフルフリルアルコール、グリセロール、１，２，４−ブテントリオール、トリメチルプロパン、パントテノール、Ｌｉｐｏｎｉｃ  ＥＧ−１が挙げられる。好ましい保湿剤は、平均分子量４００〜１０００のポリエチレングリコール、２−ピロリドン、２，２−チオジエタノール、および１，５−ペンタンジオールである。好ましい浸透剤としては、ｎ−プロパノール、イソプロピルアルコール、１，３−プロパンジオール、１，２−ヘキサンジオールおよびヘキシルカルビトールが挙げられる。
【００１７】
使用される保湿剤の量は、インクの特性によって決定され、インクの総重量基準で１〜３０重量％の範囲であり、好ましくは５〜１５重量％である。一般的に使用される、インクを形成するのに有用な保湿剤の例は：グリコール、ポリエチレングリコール、グリセロール、エタノールアミン、ジエタノールアミン、アルコールおよびピロリドンである。他の当該分野において公知の保湿剤も使用できる。
【００１８】
好適な浸透剤の使用は、インクの具体的な用途に依存する。有用な例としては、ピロリドン、およびＮ−メチル−２−ピロリドンが挙げられる。エマルジョンポリマーのヒドロキシ官能基に対して当量基準で２０％以上のヒドロキシ、アミノまたはチオール官能基を含有するインクジェットインク組成物における好ましい具体例において、ヒドロキシ、アミノ、またはチオール官能基は例えば、浸透剤、保湿剤、界面活性剤等の中に存在し、かかる成分の沸点は２２０℃未満、好ましくは２００℃未満である。
【００１９】
インク中の消泡剤の量は、典型的には、インクの総重量基準で０〜０．５重量％である。顔料の水性分散液を形成するのに有用な消泡剤は当該分野においてよく知られており、商業的に入手可能な例としては、Ｓｕｒｆｙｎｏｌ  １０４ＨおよびＳｕｒｆｙｎｏｌ  ＤＦ−３７（Ａｉｒ  Ｐｒｏｄｕｃｔｓ、Ａｌｌｅｎｔｏｗｎ、ＰＡ）が挙げられる。
【００２０】
コポリマー中にメチロールアクリルアミドまたはメチロールメタクリルアミドが含まれる態様において、酸性の潜在的供給源である触媒、すなわち、以下に開示の乾燥および硬化条件下でコーティング組成物のｐＨを下げるのに有効な化合物が、コーティング組成物中に、好ましくはｐＨ約１〜約４のコーティング組成物を提供するのに有効な量で含まれる。
【００２１】
インク組成物の重量基準で０〜１０重量％、好ましくは０．１〜１０重量％、より好ましくは０．５〜６重量％、最も好ましくは３〜６重量％の量で用いられ得る触媒は、例えば、塩化アンモニウム、硝酸アンモニウム、クエン酸アンモニウム、リン酸二アンモニウム、塩化マグネシウム、ｐ−トルエンスルホン酸のアミン塩およびそれらの混合物を包含する。
【００２２】
本発明のインク組成物は、このような組成物を調製するために当該分野で知られている任意の方法により、例えば、水性インクを形成するために当該分野で認識されている任意の技術を用いて成分を一緒に混合（ｍｉｘｉｎｇ）、攪拌（ｓｔｉｒｒｉｎｇ）またはかき混ぜる（ａｇｉｔａｔｉｎｇ）ことにより調製することができる。本発明のインク組成物の調製法は、インク組成物が均質であれば重要ではない。
【００２３】
本発明のインク組成物は、例えば、サーマルまたはバブルジェット（登録商標）プリンター、圧電プリンター、連続フロープリンター、エアブラシまたはバルブジェットプリンターを用いて当該分野で知られているインクジェット技術の一つにより基体に施用される。好ましい基体は、例えば、綿、ポリエステル、アラミド、絹、アクリル、羊毛、レイヨン、ナイロン、ポリアミド、およびガラスなどの適当な繊維から形成される、織布または不織布である。紙、ビニル、皮革およびポリエステルをはじめとする任意の好適な基体を使用できる。インク組成物は、施用後硬化させても良い。すなわち、選択された時間および温度で乾燥および架橋され、１秒〜１０分の時間、６０℃〜３００℃の温度が典型的である。より短い硬化時間の場合、硬化を行うのにより高い温度が通常必要とされると理解される。硬化は、熱エネルギーと、マイクロ波または赤外線のような放射エネルギーの組み合わせにより行われる。
【００２４】
本発明の目的に関して、インク安定性は、Ｍｉｃｒｏｔｒａｃ  Ｉｎｃ．、Ｍｏｎｔｇｏｍｅｒｙｖｉｌｌｅ、Ｐｅｎｎｓｙｌｖａｎｉａ、Ｕ．Ｓ．Ａ．から得られるＭｉｃｒｏｔｒａｃ  ＵＰＡ１５０粒子サイズ分析器を用いて、６０℃で５日後の７０ｎｍ以下の粒子サイズにおける増加として定義される。
【００２５】
インクの噴射能力またはジェッタビリティーは、誤指向（ｍｉｓｄｉｒｅｃｔｉｏｎ）またはインクジェットノズルのつまりがないジェット時間の増加として示される。ジェッタビリティー試験は、Ｍｉｍａｋｉ  Ｅｎｇｉｎｅｅｒｉｎｇ  Ｃｏｍｐａｎｙ，Ｌｔｄ．，Ｊａｐａｎにより製造されたＪＦ−０６０４型プリンターでジェットの目詰まりまたは液滴の誤指向が観察されるまで連続して綿織物を印刷することにより行われる。
【００２６】
次の実施例は本発明を説明するものである
【実施例】
【００２７】
実施例１
安定性が向上されたインク処方
バインダーおよび顔料分散液を除く全ての成分を一緒にブレンドすることにより、表１および３に示すインク組成物を調製する。１４％水酸化アンモニウムを用いて混合物のｐＨ値を８〜８．５に調節する。バインダーエマルジョンを次いで撹拌しながら混合物に徐々に添加する。顔料分散液を撹拌しながら前記混合物に最後に徐々に添加する。１４％の水酸化アンモニウムを用いてインクの最終ｐＨを８．５に調節する。１ミクロンファイバーグラスフィルター（Ｐａｌｌ  Ｃｏｒｐｏｒａｔｉｏｎ、Ａｎｎ  Ａｒｂｏｒ、ＭＩ４８１０３、ＵＳＡ）を用いて最終インクを濾過する。ＢｒｏｏｋＦｉｅｌｄ粘度計（Ｂｒｏｏｋｆｉｅｌｄ  ＥＮＧ  ＬＡＢＳ  ＩＮＣ．、Ｓｔｏｕｇｈｔｏｎ、ＭＡ０２０７２、ＵＳＡにより製造）（３０ｒｐｍ、超低粘度（ＵＬ）アダプターおよびスピンドル）を用いて粘度を測定する。Ｆｉｓｈｅｒ  Ｓｃｉｅｎｔｉｆｉｃ表面張力計２０（Ｆｉｓｈｅｒ  Ｓｃｉｅｎｔｉｆｉｃ、ＵＳＡ）を用いて表面張力を測定する。
【００２８】
６０℃での加熱老化および粒子サイズ測定を行うことにより安定性および貯蔵寿命を評価する。加熱老化の前および６０℃での特定の加熱老化時にインクを濾過した後に初期粒子サイズを測定する。Ｍｉｃｒｏｔｒａｃ  ＵＰＡ１５０粒子サイズ分析器（Ｍｉｃｒｏｔｒａｃ  Ｉｎｃ．Ｍｏｎｔｇｏｍｅｒｙｖｉｌｌｅ、ＰＡ１８９３６により製造）を用いて粒子サイズ測定を行う。
【００２９】
【表１】
2004225041.tif 000002
【００３０】
ＡｃｒｙＪｅｔ（商標）はＲｏｈｍ  ａｎｄ  Ｈａａｓ  Ｃｏｍｐａｎｙ、Ｐｈｉｌａｄｅｌｐｈｉａ、ＰＡ、Ｕ．Ｓ．Ａ．の商標である。ＤＳ−４は、Ｒｈｏｄｏｃａｌ（商標）ＤＳ−４（Ｒｈｏｄｉａ、Ｆｒａｎｃｅ）の商標で販売されているアルキルアリールスルホネート界面活性剤である。ＳＬＳは、Ｓｔｅｐａｎ  Ｃｏｍｐａｎｙ（Ｎｏｒｔｈｆｉｅｌｄ、ＩＬ、ＵＳＡ）からＰｏｌｙｓｔｅｐ（商標）Ｓ−１の商標で販売されているラウリル硫酸ナトリウムである。ＦＥＳブランド製品はＣｏｇｎｉｓにより提供される。
【００３１】
【表２】
2004225041.tif 000003
【００３２】
【表３】
2004225041.tif 000004
【００３３】
【表４】
2004225041.tif 000005
【００３４】
インクサンプル３〜６は優れた安定性を示し、ジェッタビリティーはまずまずである。インクサンプル９〜１３は優れた安定性と優れたジェッタビリティーを示す。
【００３５】
実施例２
ジェッタビリティーが向上したインク処方
バインダーおよび顔料分散液を除く全ての成分を一緒にブレンドすることにより、表５に示すインク組成物を調製する。１４％水酸化アンモニウムを用いて混合物のｐＨ値を８〜８．５に調節する。バインダーエマルジョンを次いで撹拌しながら混合物に徐々に添加する。顔料分散液を撹拌しながら前記混合物に最後に徐々に添加する。１４％の水酸化アンモニウムを用いてインクの最終ｐＨを８．５に調節する。１ミクロンファイバーグラスフィルター（Ｐａｌｌ  Ｃｏｒｐｏｒａｔｉｏｎ、Ａｎｎ  Ａｒｂｏｒ、ＭＩ４８１０３、ＵＳＡ）を用いて最終インクを濾過する。ＢｒｏｏｋＦｉｅｌｄ粘度計（Ｂｒｏｏｋｆｉｅｌｄ  ＥＮＧ  ＬＡＢＳ  ＩＮＣ．、Ｓｔｏｕｇｈｔｏｎ、ＭＡ０２０７２、ＵＳＡにより製造）（３０ｒｐｍ、超低粘度（ＵＬ）アダプターおよびスピンドル）を用いて粘度を測定する。Ｆｉｓｈｅｒ  Ｓｃｉｅｎｔｉｆｉｃ表面張力計２０（Ｆｉｓｈｅｒ  Ｓｃｉｅｎｔｉｆｉｃ、ＵＳＡ）を用いて表面張力を測定する。
【００３６】
【表５】
2004225041.tif 000006
【００３７】
インクサンプル１５、１６、１８および１９はインクサンプル１４および１７に対して向上されたジェッタビリティーを示す。
【外国語明細書】
2004225041000001.pdf
2004225041000002.pdf
2004225041000003.pdf